(57)【特許請求の範囲】
【請求項１】
足指に装着して足指の血行を促進する用具であって、
第２〜第４足指を挿入する筒状の３つのリング部が並列配置され、平面視において、第２足指を挿入するリング部の後端両側部を結んだ線の各足指の挿入方向に対して直交する水平線に対してなす角度が＋３．０〜＋９．０°、第３足指を挿入するリング部の後端両側部を結んだ線の前記水平線に対してなす角度が−６．５〜−１２．５°、第４足指を挿入するリング部の後端両側部を結んだ線の前記水平線に対してなす角度が−３５．０〜−４１．０°である弾性体からなる装着体を具備するとともに、
前記各リング部の周壁部内には、それぞれ磁石がＮ極とＳ極とが対向した状態で配設され、前記装着体にはゲルマニウム粉末及びラジウム鉱石粉末の一方又は両方が混練されており、
前記各リング部に足指をそれぞれ挿入することを特徴とする足指血行促進用具。
【発明の詳細な説明】
【技術分野】
【０００１】
本発明は、人の足指に装着して足指の血行を促進させる用具に関する。
【背景技術】
【０００２】
従来、人の足指間に対して指圧的な刺激を加えることができる用具として、特許文献１のものが提案されている。特許文献１の足指間刺激用具は、足指の第１指と第２指との間、第２指と第３指との間、第３指と第４指との間及び第４指と第５指との間に挟み込む４個の刺激柱状体と、該４個の刺激柱状体の基端部をそれぞれ取り付けることによって該４個の刺激柱状体間に所定の相互間隔を保って一体化するベースプレートとを備え、前記ベースプレートを足の甲側又は足の裏側に当てて前記４個の刺激柱状体を足指の第１指と第２指と第３指と第４指と第５指との間に挟み込んで靴等の履き物と共に又は単独で着用可能としてなる足指間刺激用具である（請求項１参照）。
【０００３】
特許文献１の足指間刺激用具では、各刺激柱状体を、多量の遠赤外線発散能を有するセラミックス微粉末をマグネットを中子とする断面楕円形の鼓形に成形することにより、セラミックスとマグネットとの組合わせによって、冷え性の解消や血行の促進、血液の浄化に寄与することができる（段落００２９、図６参照）。
【先行技術文献】
【特許文献】
【０００４】
【特許文献１】特開２００４−８６２７号公報
【発明の概要】
【発明が解決しようとする課題】
【０００５】
しかし、従来、足指の血行促進効果がより高い足指血行促進用具が要望されていた。また、特許文献１の足指間刺激用具は、人の足指間に対して指圧的な刺激を加える目的で、刺激柱状体を硬質材料であるラミックスで形成しているため、刺激柱状体の刺激によって足指が痛くなる可能性があった。
【０００６】
本発明は、上記事情に鑑みてなされたもので、足指の血行促進効果が極めて高く、また足指が痛くなることがないとともに、装着感に優れた足指血行促進用具を提供することを目的とする。
【課題を解決するための手段】
【０００７】
本発明は、前記目的を達成するため、下記発明の足指血行促進用具を提供する。
【０００８】
足指に装着して足指の血行を促進する用具であって、
第２〜第４足指を挿入する筒状の３つのリング部が並列配置され、平面視において、第２足指を挿入するリング部の後端両側部を結んだ線の各足指の挿入方向に対して直交する水平線に対してなす角度が＋３．０〜＋９．０°、第３足指を挿入するリング部の後端両側部を結んだ線の前記水平線に対してなす角度が−６．５〜−１２．５°、第４足指を挿入するリング部の後端両側部を結んだ線の前記水平線に対してなす角度が−３５．０〜−４１．０°である弾性体からなる装着体を具備するとともに、
前記各リング部の周壁部内には、それぞれ磁石がＮ極とＳ極とが対向した状態で配設され、前記装着体にはゲルマニウム粉末及びラジウム鉱石粉末の一方又は両方が混練されており、
前記各リング部に足指をそれぞれ挿入することを特徴とする足指血行促進用具。
【００１２】
本発明において、磁石の種類に限定はなく、ネオジウム磁石、フェライト磁石、サマリウム磁石、コバルト磁石、アルニコ磁石等から適宜選択することができる。
【００１３】
本発明において、ゲルマニウム粉末の種類に限定はなく、水素化ゲルマニウム、一酸化ゲルマニウム、二酸化ゲルマニウム、ジゲルマン、トリゲルマン等から適宜選択することができる。
【００１４】
本発明において、ラジウム鉱石粉末の種類に限定はなく、ラジウム２２４鉱石粉末、ラジウム２２６鉱石粉末等から適宜選択することができる。
【００１５】
本発明において、装着体を形成する弾性体の種類に限定はなく、各種の弾性を有するプラスチック類、ゴム類等から適宜選択することができるが、装着感が良い点で、シリコーン樹脂が特に好ましい。
【発明の効果】
【００１６】
本発明の足指血行促進用具は、下記に示す効果を奏する。
（ア）第１発明の足指血行促進用具は、磁石の作用により足指の血行を促進させて、足指の冷えを解消することができる。
（イ）第２発明の足指血行促進用具は、ゲルマニウム及び／又はラジウムの作用により足指の血行を促進させて、足指の冷えを解消することができる。
（ウ）第３発明の足指血行促進用具は、磁石並びにゲルマニウム及び／又はラジウムの相乗作用により足指の血行を促進させて、足指の冷えを解消することができる。
（エ）第１〜３発明の足指血行促進用具は、装着体が弾性体で形成されているため、リング部に足指を挿入しても、足指が痛くなることがないとともに、装着感に優れている。
【図面の簡単な説明】
【００１７】
【図１】本発明に係る足指血行促進用具の一実施形態を示す斜め前方から見た斜視図である。
【図２】図１の足指血行促進用具の平面図である。
【図３】図１の足指血行促進用具の正面図である。
【図４】（ａ）は図１の足指血行促進用具を足指に装着した状態を示す模式的説明図、（ｂ）、（ｃ）は図１の足指血行促進用具における磁石の配置を示す模式的説明図である。
【図５】足指間に配置された磁石の作用を示す概念図である。
【００１８】
以下、本発明の実施形態につき図面を参照して詳しく説明する。図１〜図３は、本発明に係る足指血行促進用具の一実施形態を示すもので、図１は斜め前方から見た斜視図、図２は平面図、図３は正面図である。また、図４（ａ）は本例の足指血行促進用具を足指に装着した状態を示す模式的説明図、図４（ｂ）、（ｃ）は本例の足指血行促進用具磁石の配置を示す模式的説明図である。
【００１９】
本例の足指血行促進用具１０において、１２は弾性を有するシリコーン樹脂により一体成形された装着体を示す。装着体１２は、筒状の３つのリング部１４、１６、１８が一体に並列配置されたものである。
【００２０】
各リング部１４、１６、１８の周壁部内には、それぞれ磁石が配設されている。この場合、図４（ｂ）に示すように、磁石２０は、Ｎ極とＳ極とが対向した直列状態で各リング部１４、１６、１８の周壁部内に左右に配置されている。ただし、磁石２０は、図４（ｃ）に示すように、各リング部１４、１６、１８の周壁部内に上下に配置してもよい。さらには、磁石は、各リング部１４、１６、１８の周壁部内に左右上下に配置してもよい。なお、磁石２０は、例えば、インサート成形によりシリコーン樹脂内に配設したり、装着体１２に磁石配設孔を形成し、この磁石配設孔内に磁石を配設したりすることができる。
【００２１】
また、本実施形態では、装着体１２において、第２足指を挿入するリング部１４の後端両側部を結んだ線の各足指の挿入方向に対して直交する水平線に対してなす角度ａが＋３．０〜＋９．０°（より具体的には＋５．９°）、第３足指を挿入するリング部１６の後端両側部を結んだ線の前記水平線に対してなす角度ｂが−６．５〜−１２．５°（より具体的には−９．５°）、第４足指を挿入するリング部の後端両側部を結んだ線の前記水平線に対してなす角度ｃが−３５．０〜−４１．０°（より具体的には−３８．１°）である。
【００２２】
本例の足指血行促進用具１０は、図４（ａ）に示すように、装着体１２のリング部１４に第２足指２２、リング部１６に第３足指２４、リング部１８に第４足指２６を挿入することにより、足指に装着するものである。
【００２３】
この場合、本例では、装着体１２において、第２足指を挿入するリング部１４の後端両側部を結んだ線の各足指の挿入方向に対して直交する水平線に対してなす角度ａが＋３．０〜＋９．０°、第３足指を挿入するリング部１６の後端両側部を結んだ線の前記水平線に対してなす角度ｂが−６．５〜−１２．５°、第４足指を挿入するリング部の後端両側部を結んだ線の前記水平線に対してなす角度ｃが−３５．０〜−４１．０°であるため、装着体１２がほとんどの人の足にフィットするという顕著な作用効果を得ることができる。
【００２４】
本実施形態の足指血行促進用具は、下記の作用効果を奏する。
（Ａ）磁石の作用により足指の血行を促進させて、足指の冷えを解消することができる。この場合、本例の足指血行促進用具は、各リング部内に磁石をＮ極とＳ極とが対向した状態で直列配置している。そのため、装着体を足指に装着したときに、図５に示すように、第２足指、第３足指及び第４足指が磁石のＮ極とＳ極との間に挟まれるので、磁石間に発生する磁束密度が大きくなり、優れた足指の血行促進効果を得ることができる。すなわち、磁石を直列配置すると、並列配置した場合に比べ、磁石間に発生する磁束密度が増加し、足指の血行促進効果が増大する。
（Ｂ）装着体が弾性体で形成されているため、リング部に足指を挿入しても、足指が痛くなることがないとともに、装着感に優れている。
（Ｃ）５本の足指が装着体の外に出る構造であるため、装着体が足指に良好にフィットし、装着感に優れている。
（Ｄ）前記角度ａを＋３．０〜＋９．０°、角度ｂを−６．５〜−１２．５°、角度ｃを−３５．０〜−４１．０°としたので、装着体がほとんどの人の足にフィットする。
【００２５】
第２、３発明の足指血行促進用具の実施形態については、外観は前記実施形態と同じであるので、図示を省略するが、第２発明の足指血行促進用具の実施形態は、前記実施形態において磁石を省略し、装着体を形成するシリコーン樹脂にゲルマニウム粉末及びラジウム鉱石粉末の一方又は両方を練り込んだものであり、第３発明の足指血行促進用具の実施形態は、前記実施形態において、装着体を形成するシリコーン樹脂にゲルマニウム粉末及びラジウム鉱石粉末の一方又は両方を練り込んだものである。
【００２６】
また、装着体は、足の大きさに合わせて種々のサイズのものを作製することができる。
【符号の説明】
【００２７】
１０  足指血行促進用具
１２  装着体
１４  リング部
１６  リング部
１８  リング部
２０  磁石
【図１】
0005727206.tif 000002
【図２】
0005727206.tif 000003
【図３】
0005727206.tif 000004
【図４】
0005727206.tif 000005
【図５】
0005727206.tif 000006